(57)【特許請求の範囲】
【請求項１】
ファイル名の一部の情報またはファイル属性に応じたファイルの種類ごとに，ファイル一覧に表示するファイル単位の表題を決定する複数の表題カストマイズ処理部と，
前記ファイルの種類と前記表題カストマイズ処理部との対応情報を記憶するカストマイズ用の情報を記憶する手段と，
ファイル一覧表示要求に対し，前記カストマイズ用の情報を記憶する手段を参照することにより，前記ファイルの種類に対応する表題カストマイズ処理部を決定し，決定した表題カストマイズ処理部を呼び出し，ファイル一覧として表示すべき各ファイル名に対応する表題情報を獲得する表題カストマイズ処理呼び出し部と，
獲得した表題情報をファイル一覧に組み込む編集を行う表題編集部と，
前記表題編集部により表題を組み込んだファイル一覧を表示するファイル一覧表示処理部とを備えた
ことを特徴とするファイル一覧表示カストマイズ処理装置。
【請求項２】
ユーザの指定により，ファイル一覧表示要求があった場合にファイル一覧に表題を組み込んで表示するか否かを設定する，もしくはファイル一覧に表題を組み込む際の形式を設定する，またはこれらの双方を設定する一覧表示形式設定部を更に備え，
前記表題編集部は，前記一覧表示形式設定部の設定情報に基づいてファイル一覧を作成する
ことを特徴とする請求項１記載のファイル一覧表示カストマイズ処理装置。
【請求項３】
前記表題カストマイズ処理部は，動的リンクライブラリとして構成され，
前記カストマイズ用の情報を記憶する手段は，前記ファイルの種類と前記表題カストマイズ処理部との対応情報として，前記表題カストマイズ処理部を構成する動的リンクライブラリのフルパス名に関する定義情報を記憶し，
前記表題カストマイズ処理呼び出し部は，前記カストマイズ用の情報を記憶する手段が記憶する定義情報から得られる該当する表題カストマイズ処理部のフルパス名を用いて，その表題カストマイズ処理部を呼び出し，ファイル一覧として表示すべき各ファイル名に対応する表題情報を獲得する
ことを特徴とする請求項１または請求項２記載のファイル一覧表示カストマイズ処理装置。
【請求項４】
前記表題編集部が得る表題情報は，前記表題カストマイズ処理部が固定的に保持する情報，各ファイルに対してあらかじめ定義された情報，または該当ファイルの先頭レコードもしくは所定位置のレコードの情報である
ことを特徴とする請求項１，請求項２または請求項３記載のファイル一覧表示カストマイズ処理装置。
【請求項５】
複数の表題カストマイズ処理部と，前記ファイルの種類と前記表題カストマイズ処理部との対応情報を記憶するカストマイズ用の情報を記憶する手段と，表題カストマイズ処理呼び出し部と，表題編集部と，ファイル一覧表示処理部とを備える処理装置が実行するファイル一覧表示カストマイズ処理方法であって，
前記表題カストマイズ処理呼び出し部が，前記カストマイズ用の情報を記憶する手段を参照することにより，前記ファイルの種類に対応する表題カストマイズ処理部を決定し，決定した表題カストマイズ処理部を呼び出すことにより，その表題カストマイズ処理部にファイル一覧に表示するファイル単位の表題を決定させ，ファイル一覧として表示すべき各ファイル名に対応する表題情報を獲得する過程と，
前記表題編集部が，前記獲得した表題情報をファイル一覧に組み込む編集を行う過程と，
前記ファイル一覧表示処理部が，前記表題編集部により表題を組み込んだファイル一覧を表示する過程とを有する
ことを特徴とするファイル一覧表示カストマイズ処理方法。
【発明の詳細な説明】
【０００１】
【産業上の利用分野】
本発明は，ユーザまたはアプリケーション供給者等がファイル一覧表示に任意のファイルの表題を組み込み，ファイル一覧表示をカストマイズできるようにしたファイル一覧表示カストマイズ処理装置および処理方法に関するものである。
【０００２】
外部記憶装置の大容量化に伴い，１つのファイルシステムまたはディレクトリ内に多種多様なファイルが多く存在するようになってきており，ユーザの環境に合ったわかりやすいファイル一覧の表示が望まれている。
【０００３】
【従来の技術】
図１１は，従来のファイル一覧のウインドウ表示の例を示している。
通常，１つのファイルシステムまたはディレクトリには，多種多様なファイルが多く存在するので，計算機システムにおけるファイル一覧の表示は必須の機能である。従来のウインドウシステムでは，ファイル一覧表示要求に対し，例えば図１１に示すように，ファイル名，ファイルの大きさ，ファイル作成または更新年月日，ファイル保護情報等のファイル属性の情報を一覧表示するだけであった。
【０００４】
特に，ファイル名は使用できる文字種や文字数等の制限があり，一覧表示されたファイル名から目的とするファイルの内容を推測することが困難な場合が多い。そのため，所望するファイルであるかどうかを知るには，ファイル名をたよりに一旦そのファイルを開き，編集または印刷等の操作によってファイル内容を参照し，直接調べなければならなかった。
【０００５】
【発明が解決しようとする課題】
したがって，実際にファイルを開くことなく，ファイル一覧表示からファイルの内容を容易に推測することができ，所望するファイルを一覧表示から直接的に選択することができる手段が必要とされる。この場合，アプリケーションごとにどのような情報がファイルの内容把握に有用であるかが異なるので，アプリケーションに応じてファイル内容を示唆する情報を選択して表示できることが望ましい。すなわち，ファイル名等の既製の一覧表示に加えて，ユーザの環境に合わせた表題等のファイル内容に関する情報を表示できるファイル一覧表示が必要とされる。
【０００６】
本発明は上記問題点の解決を図り，ユーザがファイル一覧表示から各ファイルの内容を容易に推測できるようにすること，またファイル一覧にどのような情報を表示するかについてカストマイズできるようにすることを目的とする。
【０００７】
【課題を解決するための手段】
本発明は，上記課題を解決するために，例えば図１に示すような手段を持つ。図１は，本発明の構成例を示す図である。
【０００８】
図１において，１０はファイル一覧メイン処理部，１１は一覧表示形式設定部，１２はカストマイズ用ファイル，１３はファイル一覧編集部，１４は表題カストマイズ処理呼び出し部，１５は表題編集部，１６ａ，１６ｂ，…，１６ｎはファイルに付与されたファイル名の拡張子に対応して設けられる表題カストマイズ処理部，１７はファイル一覧表示処理部，２０はキーボードやマウス等の入力装置，２１はディスプレイ，２２はオペレーティングシステム，２３はウインドウ制御を行うウインドウシステムを表す。
【０００９】
ファイル一覧メイン処理部１０は，ウインドウシステム２３において指定されたディレクトリ等の配下に存在するファイルの一覧表示に関する処理を行う処理手段である。
【００１０】
一覧表示形式設定部１１は，ユーザの指定により，ファイル一覧における表題の表示／非表示，表題の表示の長さ等のファイル一覧表示形式を設定する処理手段である。
【００１１】
カストマイズ用ファイル１２は，ウインドウシステム２３またはウインドウシステム２３上のアプリケーション等により規定されるファイル拡張子と表題カストマイズ処理部１６ａ，１６ｂ，…１６ｎとの対応情報を記憶する手段である。なお，ファイル拡張子の代わりに，他のファイル名の一部の情報またはファイル属性に応じたファイルの種類ごとに，表題カストマイズ処理部１６ａ，１６ｂ，…１６ｎを設けて，それらの対応情報を管理するようにしてもよい。以下では，ファイルの種類としてファイル拡張子を用いる場合について説明する。
【００１２】
ファイル一覧編集部１３は，表題カストマイズ処理呼び出し部１４，表題編集部１５を備え，ユーザからのファイル一覧表示要求を受けてファイル一覧を編集する処理手段である。
【００１３】
表題カストマイズ処理呼び出し部１４は，カストマイズ用ファイル１２を参照して，ファイル一覧として表示する各ファイルごとに拡張子に対応する表題カストマイズ処理部１６を呼び出し，表題情報を獲得する手段である。
【００１４】
表題編集部１５は，拡張子に従い，表題カストマイズ処理部１６によって獲得した表題情報をもとに，一覧表示形式設定部１１によって設定された一覧表示形式に従い，ファイル一覧に表題を組み込む編集を行う処理手段である。
【００１５】
表題カストマイズ処理部１６ａ，１６ｂ，…１６ｎは，例えばファイルの拡張子ごとに動的リンクライブラリ（ＤＬＬ）として予め用意され，表題カストマイズ処理呼び出し部１４からの入力情報（ファイル名）により表題を出力するアクセスルーチンからなる処理手段である。
【００１６】
ファイル一覧表示処理部１７は，ファイル一覧編集部１３が編集したファイル一覧を，ウインドウシステム２３およびオペレーティングシステム２２を介してディスプレイ２１に表示する処理手段である。
【００１７】
【作用】
本発明では，既存のファイル一覧表示における各ファイル情報に，任意の表題を組み込んで表示するカストマイズを，以下の手段によって可能にする。
【００１８】
ユーザまたはアプリケーション供給者等は，各ファイルの拡張子ごとにファイル一覧に組み込んで表示するためのファイルの表題を決定する表題カストマイズ処理部１６を作成する。表題カストマイズ処理部１６における表題の決定には，例えば，▲１▼表題カストマイズ処理部１６内に表題とするメッセージを固定情報として持ち，その値を呼び出し元へ返却する，▲２▼指定されたファイルに対応する定義情報の管理ファイルから表題を獲得して呼び出し元へ返却する，▲３▼該当ファイルの先頭レコードを読み込み，表題として呼び出し元へ返却する，といったことが考えられるが，他にも表題カストマイズ処理部１６を自由に構成して組み込むことが可能である。
【００１９】
また，各ファイル拡張子に対して，どの表題カストマイズ処理部１６を呼び出せばよいかを，各ユーザに共通に提供されるファイル一覧編集部１３が知ることができるように，ファイル拡張子と各表題カストマイズ処理部１６との対応情報を格納したカストマイズ用ファイル１２を用意する。
【００２０】
表題カストマイズ処理呼び出し部１４は，ファイル一覧表示要求に対し，カストマイズ用ファイル１２を参照することにより，オペレーティングシステム２２から得たファイル一覧情報の各ファイルごとに，そのファイル拡張子に対応して用意された表題カストマイズ処理部１６を呼び出す。表題編集部１５は，表題カストマイズ処理部１６から獲得した表題を，一覧表示形式設定部１１で設定された形式でファイル一覧に組み込む。それをファイル一覧表示処理部１７によってディスプレイ２１に表示する。
【００２１】
このようにファイル一覧編集部１３の中に，表題カストマイズ処理呼び出し部１４，表題編集部１５が備わっているので，ユーザまたはアプリケーション供給者等は，所定の形式に従ってカストマイズ用ファイル１２と，必要なファイル拡張子に応じた表題カストマイズ処理部１６を用意するだけで，ファイル内容の把握を容易にする任意の表題情報を，ファイル一覧中に表示するカストマイズが可能になる。
【００２２】
図２に本発明によるファイル一覧の表示例を示す。
従来のファイル一覧の表示は，例えば図１１に示すように，ファイル名，サイズ，更新年月日，属性等だけであったが，本発明では，図２に示すように各ファイルに対応して，ファイルの内容や機能の把握を容易にする情報を表示することが可能になる。特に，どのような情報を表題として表示するかを各アプリケーション毎に任意に設定することが可能である。
【００２３】
【実施例】
以下，本発明の実施例を図を用いて説明する。
図３は，実施例におけるカストマイズ用ファイルの形式を示す図である。
【００２４】
カストマイズ用ファイル１２は，ファイル拡張子と拡張子ごとに用意された表題カストマイズ処理部１６との対応関係を定義する情報を記憶する。
図３において，「ａａａ」はファイル名の拡張子を，「ｂｂｂ」は，例えばワープロソフトウェア，表計算ソフトウェア，ＣＯＢＯＬ，ＦＯＲＴＲＡＮ等のアプリケーションに関する製品名を，「ｃｃｃ」はアプリケーション等を格納するディレクトリ名を，「ｄｄｄ」は拡張子ａａａに対応する表題カストマイズ処理部名（ＤＬＬ名）を表す。これらの定義から表題カストマイズ処理部１６のフルパス名である「ｃｃｃ￥ｄｄｄ」を得ることができる。
【００２５】
図４は，実施例における表題カストマイズ処理部の構成例を示す図である。
表題カストマイズ処理部１６は，動的リンクライブラリとして拡張子ごとに用意され，入力定義，出力定義，表題を読み込む処理プログラムからなる。処理プログラム（アクセスルーチン）は，該当拡張子を持つフルパスのファイル名を入力し，その拡張子に応じたファイルに関する表題を出力する。この処理プログラムが読み込む表題は，テキストの先頭レコード，所有者名，更新済等のファイル状態表示等，アプリケーションに応じた任意の情報であり，本手段内部または外部のいずれの領域に存在する情報であってもよい。
【００２６】
図５は，実施例における一覧表示形式設定用のダイアログボックスの表示例を示す図である。
一覧表示形式設定部１１は，ユーザからのファイル一覧表示の形式設定要求によって起動され，図５に示すような表示形式設定画面を表示し，この画面で設定された値を記憶する。この表示形式設定画面では，ファイル一覧における表題の表示／非表示の設定が可能になっており，さらにファイル一覧をカストマイズして表示する場合に，表示する長さ（文字数）をいくらまでにするかが設定可能になっている。ファイル一覧表示をすることにより，従来のファイル名表示に比べて処理時間が長くなるために，必要に応じて表題の表示または非表示を選択することができるようにしたものである。また，表示する長さを設定可能にすることにより，画面を見やすくカストマイズできるようにしたものである。
【００２７】
図６は，本発明の実施例の動作説明図，図７は本発明の実施例における表題カストマイズの例を示す図である。以下の説明における▲１▼〜▲７▼は，図６に示す▲１▼〜▲７▼に対応する。
【００２８】
▲１▼  ユーザからのファイル一覧表示の形式設定要求があると，一覧表示形式設定部１１は，図５に示す表示形式設定画面を表示し，この画面で設定された値を記憶する。
【００２９】
▲２▼  ファイル一覧編集部１３は，ユーザからファイル一覧表示要求を受けて，オペレーティングシステム２２からファイル一覧情報を獲得するマクロを発行し，ファイルの一覧情報（ＪＵＱＢ０００．Ｃ，ＪＵＱＢ０２０．ＣＢＬ，ＪＵＱＢ０２０．ＦＭＴ…）を獲得する。
【００３０】
▲３▼  次に，カストマイズ用ファイル１２から，拡張子に応じて表題カストマイズ処理部１６ａ，１６ｂ，…を呼び出すための情報（［Ｆｉｌｅ Ｔｉｔｌｅ］…）を獲得する。
【００３１】
カストマイズ用ファイル１２は，例えば図７（Ａ）に示すように定義されていたとする。ここでは，拡張子「ＣＢＬ」に対して，製品名「ＡＰＲＩＣＢＬ」の場合，表題カストマイズ処理部「ＴＩＴＬＥＣＢＬ．ＤＬＬ」１６ａを呼び出すことを，拡張子「Ｃ」に対して，製品名「ＡＰＲＩＣ」の場合，表題カストマイズ処理部「ＴＩＴＬＥＣ．ＤＬＬ」１６ｂを呼び出すことを，拡張子「ＯＡＳ」に対して，製品名「ＡＰＲＩＯＡＳ」の場合，表題カストマイズ処理部「ＴＩＴＬＥＯＡＳ．ＤＬＬ」を呼び出すことを定義している。これらから，それぞれの表題カストマイズ処理部１６のフルパス名を得ることができる。処理の高速化のために，フルパス名を得た時点で，各表題カストマイズ処理部１６をロードしておく。
【００３２】
▲４▼  表題カストマイズ処理呼び出し部１４は，オペレーティングシステム２２から獲得したファイルの一覧情報から，一つ一つのファイルに着目し，各ファイルの拡張子に従って表題カストマイズ処理部１６を呼び出す。このとき，対象ファイル名を入力情報とする。
【００３３】
例えば拡張子「Ｃ」に対する表題カストマイズ処理部「ＴＩＴＬＥＣ．ＤＬＬ」１６ｂは，図７（Ｂ）および（Ｃ）に示すように，ファイル名ごとに，表示すべきメッセージがあらかじめ定義されている表題テーブルを参照し，表題テーブルでファイル名が一致するものを検索して，そのメッセージを表題情報として出力するように作成されている。
【００３４】
したがって，オペレーティングシステム２２から得たファイル一覧において，ファイル名「ＪＵＱＢ０００．Ｃ」を処理する場合には，表題カストマイズ処理呼び出し部１４によって，拡張子「Ｃ」に対応する表題カストマイズ処理部「ＴＩＴＬＥＣ．ＤＬＬ」１６ｂが呼び出され，表題カストマイズ処理部「ＴＩＴＬＥＣ．ＤＬＬ」１６ｂは，図７（Ｃ）に示す表題テーブルからファイル名「ＪＵＱＢ０００．Ｃ」に対してあらかじめ定義された“一覧獲得部品のＣ言語ソース”というメッセージ（表題）を検索し，それを出力情報として表題カストマイズ処理呼び出し部１４に返却する。
【００３５】
▲５▼  同様に，例えばファイル名「ＪＵＱＢ０２０．ＣＢＬ」の場合には，表題カストマイズ処理呼び出し部１４によって，拡張子「ＣＢＬ」に対応する表題カストマイズ処理部「ＴＩＴＬＥＣＢＬ．ＤＬＬ」１６ａが呼び出され，表題カストマイズ処理部「ＴＩＴＬＥＣＢＬ．ＤＬＬ」１６ａによってファイル名「ＪＵＱＢ０２０．ＣＢＬ」に関する表題の出力情報が表題カストマイズ処理呼び出し部１４に通知される。
【００３６】
▲６▼  すべてのファイルについて，該当する表題カストマイズ処理部１６による表題の取得を行った後，表題編集部１５は，一覧表示形式設定部１１で設定された表示する長さ（Ｌ）に従って，獲得した表題情報をファイル一覧に組み込む編集を行う。
【００３７】
▲７▼  ファイル一覧表示処理部１７は，ファイル一覧編集部１３が編集したファイル一覧情報を得て，ウインドウシステム２３およびオペレーティングシステム２２を介して，ディスプレイ２１にファイル一覧を表示する。この結果，例えば図２に示すようなファイル一覧が表示されることになる。
【００３８】
図２では，ファイル名「ＪＵＱＢ０００．Ｃ」に対して“一覧獲得部品のＣ言語ソース”，ファイル名「ＪＵＱＢ０１０．Ｃ」に対して“一覧表示部品のＣ言語ソース”，…というように，表題が付加されて表示されており，ユーザがファイル内容を容易に把握できるようになっている。
【００３９】
図８は，本発明の実施例における他の表題カストマイズの例を示す。
この例では，表題カストマイズ処理部「ＴＩＴＬＥＥＸＥ．ＤＬＬ」および「ＴＩＴＬＥＳＲＣ．ＤＬＬ」は，それぞれ各拡張子「ＥＸＥ」，「ＳＲＣ」に対応する表題を，図８（Ｂ）に示すように表題カストマイズ処理部内に静的に保持し，表題カストマイズ呼び出し処理部１４からの呼び出しがあれば，常にその表題を返すようにしている。
【００４０】
カストマイズ用ファイル１２には，図８（Ａ）に示すように，拡張子「ＥＸＥ」の場合には，製品名［ＡＰＲＩＥＸＥ］を対象として，表題カストマイズ処理部「ＴＩＴＬＥＥＸＥ．ＤＬＬ」が，拡張子「ＳＲＣ」の場合には，製品名［ＡＰＲＩＳＲＣ］を対象として，表題カストマイズ処理部「ＴＩＴＬＥＳＲＣ．ＤＬＬ」が，それぞれ対応する表題カストマイズ処理部として定義されている。
【００４１】
したがって，ファイル一覧の表示において，拡張子「ＥＸＥ」を持つファイルについては，表題カストマイズ処理部「ＴＩＴＬＥＥＸＥ．ＤＬＬ」が呼び出され，表題情報として“実行形式モジュール”の固定文字が出力される。また，拡張子「ＳＲＣ」を持つファイルについては，表題カストマイズ処理部「ＴＩＴＬＥＳＲＣ．ＤＬＬ」が呼び出され，表題情報として“ソース”の固定文字が出力される。
【００４２】
この結果，例えば図８（Ｃ）に示すような表題が付加されたファイル一覧の表示が行われることになる。
図９は，本発明の実施例におけるさらに別の表題カストマイズの例を示す。
【００４３】
この表題カストマイズの例は，表題カストマイズ処理部１６が，対象ファイルの先頭または所定位置のレコードを読み込み，その値を表題として返却するようにした例である。
【００４４】
カストマイズ用ファイル１２には，図９（Ａ）に示すように，拡張子「ＴＸＴ」の場合に，製品名［ＡＰＲＩＴＸＴ］を対象とし，表題カストマイズ処理部「ＴＩＴＬＥＴＸＴ．ＤＬＬ」を呼び出すべきことが定義されている。製品名［ＡＰＲＩＴＸＴ］のディレクトリは，「Ｃ：￥ＡＰＲＩＴＸＴＤＩＲ￥」であり，拡張子「ＴＸＴ」に対する表題カストマイズ処理部（ＤＬＬ）のフルパス名は，「Ｃ：￥ＡＰＲＩＴＸＴＤＩＲ￥ＴＩＴＬＥＴＸＴ．ＤＬＬ」となる。
【００４５】
表題カストマイズ処理部「ＴＩＴＬＥＴＸＴ．ＤＬＬ」では，図９（Ｂ）に示すように，入力したファイル名から，そのファイル先頭行の文字列を入手し出力する関数が定義されている。
【００４６】
例えば，図９（Ｃ）に示すように，ファイル名「Ａ．ＴＸＴ」のファイルの先頭レコードが“テキストＡモジュール”，ファイル名「Ｂ．ＴＸＴ」のファイルの先頭レコードが“テストデータ”というようなファイルが，ファイル一覧の対象ファイルになっていたとすると，各ファイルに対して表題カストマイズ処理部「ＴＩＴＬＥＴＸＴ．ＤＬＬ」は，“テキストＡモジュール”，“テストデータ”というような表題情報を出力し，図９（Ｄ）に示すようなファイル一覧が表示されることになる。
【００４７】
本発明では，拡張子に合わせて図７ないし図９で説明したような表題カストマイズ処理部を混在して用意することが可能である。
図１０は，本発明の実施例の処理フローチャートである。
【００４８】
ファイル一覧形式設定要求があると，一覧表示形式設定部１１は，ステップＳ１によりユーザから指定されたファイル一覧における表題の表示／非表示，表題表示の長さを記憶する。
【００４９】
ファイル一覧表示要求があると，ファイル一覧編集部１３は以下の処理を行う。まず，ステップＳ２では，オペレーティングシステム２２からファイルの一覧情報を獲得する。この処理はマクロ発行等による従来と同様なファイル一覧情報の獲得処理である。
【００５０】
次に，ステップＳ３では，一覧表示形式設定部１１で設定した値を参照して表題の表示をするかどうかを判断する。ファイル一覧中に表題を表示する場合にはステップＳ４へ進み，表題を表示しない場合にはステップＳ８の処理へ進む。
【００５１】
ステップＳ４では，表題カストマイズ処理呼び出し部１４は，カストマイズ用ファイル１２を参照して，ステップＳ２の処理で得たファイルの一覧情報をもとに表示対象範囲に存在する全てのファイル拡張子に対応する表題カストマイズ処理部１６を主記憶上にロードする。
【００５２】
ステップＳ５では，ファイル一覧中の各ファイルの拡張子に従い，該当する表題カストマイズ処理部（ＤＬＬ）を呼び出し，アプリケーションに応じた表題情報を獲得する。
【００５３】
ステップＳ６では，表題編集部１５は，獲得した表題情報をもとに，一覧表示形式設定部１１で指定された表示の長さに従って，表示するファイル一覧情報を作成する。
【００５４】
ステップＳ７では，ファイル一覧表示処理部１７は，表題編集部１５が作成したファイル一覧情報をディスプレイ２１に表示する。
ファイル一覧における表題が非表示に設定されている場合，ステップＳ８において，従来と同様な通常のファイル一覧表示を行う。
【００５５】
以上の実施例では，ファイルの種類としてファイル拡張子を用い，ファイル拡張子ごとにカストマイズ可能とした例について説明したが，ファイル拡張子の代わりに，他のファイル名の一部の情報またはファイル属性に応じたファイルの種類ごとにカストマイズできるようにすることも同様に可能である。
【００５６】
【発明の効果】
以上説明したように，本発明によれば，ファイル一覧中に各ファイルの拡張子等に応じた表示方法により表題情報が表示されるので，各ファイルの内容等を把握することが容易になり，目的とするファイルのファイル名等の記憶があいまいな場合でも目的とするファイルを容易に見つけることができるようになる。
【００５７】
また，表題を獲得する表題カストマイズ処理部を拡張子等のファイルの種類ごとに定義することができるので，柔軟な運用が可能となる。
さらに，表題の内容をカストマイズすることで，ユーザの環境に合ったファイル一覧表示の機能を提供することが可能である。
【図面の簡単な説明】
【図１】  本発明の構成例を示す図である。
【図２】  本発明によるファイル一覧の表示例を示す図である。
【図３】  実施例におけるカストマイズ用ファイルの形式を示す図である。
【図４】  実施例における表題カストマイズ処理部の構成例を示す図である。
【図５】  実施例における一覧表示形式設定用のダイアログボックスの表示例を示す図である。
【図６】  本発明の実施例の動作説明図である。
【図７】  本発明の実施例における表題カストマイズの例を示す図である。
【図８】  本発明の実施例における他の表題カストマイズの例を示す図である。
【図９】  本発明の実施例における他の表題カストマイズの例を示す図である。
【図１０】  本発明の実施例の処理フローチャートである。
【図１１】  従来技術によるファイル一覧のウインドウ表示の例を示す図である。
【符号の説明】
１０  ファイル一覧メイン処理部
１１  一覧表示形式設定部
１２  カストマイズ用ファイル
１３  ファイル一覧編集部
１４  表題カストマイズ処理呼び出し部
１５  表題編集部
１６  表題カストマイズ処理部
１７  ファイル一覧表示処理部
２０  入力装置
２１  ディスプレイ
２２  オペレーティングシステム
２３  ウインドウシステム
【図１】
0003822263.tif 000002
【図２】
0003822263.tif 000003
【図３】
0003822263.tif 000004
【図４】
0003822263.tif 000005
【図５】
0003822263.tif 000006
【図６】
0003822263.tif 000007
【図７】
0003822263.tif 000008
【図８】
0003822263.tif 000009
【図９】
0003822263.tif 000010
【図１０】
0003822263.tif 000011
【図１１】
0003822263.tif 000012